(57)【要約】      （修正有）【課題】空気中に浮遊する微粒子を確実に捕捉可能な空気清浄機を提供する。【解決手段】容器本体１１の外側から内側に吸引した空気の中に含まれる微粒子を捕捉し、清浄化された空気を排出する空気清浄器あって、容器本体１１に引き込まれた空気の中に含まれる微粒子に水分を付着させる付着手段と、排出される空気の排出路に配置され、付着手段によって水分が付着した微粒子を捕捉する吸水ポリマーからなる捕捉部材１５とを有することを特徴とする空気清浄器。【選択図】図１
0003122535.tif 000002
【実用新案登録請求の範囲】
【請求項１】
容器本体の外側から内側に吸引した空気の中に含まれる微粒子を捕捉し、清浄化された空気を排出する空気清浄器あって、
前記容器本体に引き込まれた空気の中に含まれる微粒子に水分を付着させる付着手段と、
排出される空気の排出路に配置され、前記付着手段によって水分が付着した微粒子を捕捉する吸水ポリマーからなる捕捉部材とを有することを特徴とする空気清浄器。
【請求項２】
前記排出路には、排出口側から順に、排出ファン及び前記捕捉部材が設けられていることを特徴とする請求項１に記載の空気清浄器。
【請求項３】
前記容器本体には水が収容されており、前記容器本体に引き込まれた空気を、該水に導くためのガイド部材を有することを特徴とする請求項１又は２に記載の空気清浄器。
【請求項４】
前記容器本体に引き込まれた空気を前記ガイド部材を介して水の中に送り込み、この送り込まれた空気が水面に浮上する浮上路に、上下方向に延びる複数の開口部を備えた格子状部材を配置したことを特徴とする請求項３に記載の空気清浄器。
【請求項５】
前記付着手段は、前記容器本体に引き込まれて前記捕捉部材に向かう空気の流路に水を含んだフィルタを配置することにより、微粒子に水分を付着させることを特徴とする請求項１又は２に記載の空気清浄器。
【考案の詳細な説明】
【技術分野】
【０００１】
本考案は、空気中を浮遊する微粒子を捕捉して空気を浄化する空気清浄機に関する。
【背景技術】
【０００２】
昨今、SARSウィルス、鳥インフルエンザウィルス、アスベストなどによる健康被害が問題となっている。
【０００３】
この問題を解決する一つの方法として、ウィルスに含まれる空気を吸引して、ウィルスを取り除いてから排出する空気清浄器が提案されている。
【０００４】
この種の空気清浄機では、吸入口から吸入された空気をHEPAフィルタに通し、空気中の浮遊物を取り除いてから排出する構成となっている。
【考案の開示】
【考案が解決しようとする課題】
【０００５】
しかしながら、HEPAフィルタを使用すると、空気清浄機のコストが高くなり、フィルタ交換に伴うランニングコストも高くなる。
【課題を解決するための手段】
【０００６】
上記課題を解決するために、本願発明の空気清浄器は、容器本体の外側から内側に吸引した空気の中に含まれる微粒子を捕捉し、清浄化された空気を排出する空気清浄器あって、前記容器本体に引き込まれた空気の中に含まれる微粒子に水分を付着させる付着手段と、排出される空気の排出路に配置され、前記付着手段によって水分が付着した微粒子を捕捉する吸水ポリマーからなる捕捉部材とを有することを特徴とする。
【０００７】
ここで、前記排出路に、排出口側から順に、排出ファン及び前記捕捉部材を配置するとよい。前記容器本体に水を収容し、前記容器本体に引き込まれた空気を、該水に導くためのガイド部材を有するようにするとよい。
【０００８】
前記容器本体に引き込まれた空気を前記ガイド部材を介して水の中に送り込み、この送り込まれた空気が水面に浮上する浮上路に、上下方向に延びる複数の開口部を備えた格子状部材を配置するとよい。
前記容器本体に引き込まれて前記捕捉部材に向かう空気の流路に水を含んだフィルタを配置することにより、微粒子に水分を付着させることもできる。
【考案の効果】
【０００９】
本願考案によれば、空気中に含まれる微粒子に水分を付着させ、これを吸水ポリマーで捕捉することができるため、空気を清浄化することができる。また、容器本体に引きこまれた空気を水に導いたり、水を含んだフィルタに通すことにより、微粒子に水分を付着させることができる。
【考案を実施するための最良の形態】
【００１０】
以下、図面を参照しながら本考案の実施例について説明する。
（実施例１）
図１は、空気洗浄機の断面図である。空気清浄機１を構成する容器本体１１には、開口断面を円形とした吸入口１１a及び排出口１１ｂが設けられている。吸入口１１aの内側には、容器本体１１の外側から内側に向けて空気を吸引するための吸入ファン１２が設けられている。
【００１１】
吸入口１１aの容器内側の一端部には、容器の下側領域に向かって延びるガイド壁１３が設けられており、このガイド壁１３が、容器本体１１に蓄えられた水の中に延出した状態となっている。
【００１２】
排出口１１ｂの内側には、排出口１１ｂの出口側から順に、排出ファン１４及び捕捉部材としてのフィルタ１５が設けられている。
【００１３】
フィルタ１５は、吸水ポリマーを資材とした円形の不織布シートからなり、排出ファン１４及びフィルタ１５は排出口１１ｂに対して着脱可能に装着される。
【００１４】
次に、空気洗浄機１の洗浄動作について説明する。空気洗浄機１に洗浄動作を開始させる不図示の電源ボタンがオンされると、吸入ファン１２及び排出ファン１４が回転動作を開始する。
【００１５】
吸入ファン１２によって容器本体１１の内側に引き込まれた空気は、ガイド壁１３にガイドされながら容器本体１１の底に溜まっている水に導かれ、空気中に含まれる微粒子に水分が付着する。ここで、微粒子としては、SARSウィルス、鳥インフルエンザウィルス、アスベストによる粉塵を例示できる。
【００１６】
水分が付着して重くなった微粒子は水中に落下し、吸入ファン１２から送り込まれる風によって、ガイド壁１３の下を潜り抜け、水中内を排出口１１ｂ側に向かって移動する。
【００１７】
この水中内を漂う微粒子は、その大部分が水中内に留まるが、一部は排出ファン１４の回転作用によって巻き上げられ、排出口１１ｂに設けられたフィルタ１５に到達する。そして、フィルタ１５を構成する吸水ポリマーと微粒子に付着した水とが化学吸着を起こして、微粒子を含むゼリー状の物体がフィルタ１５に生成される。
【００１８】
このように、微粒子を捕捉することによって清浄化された空気は、排出ファン１２によって容器本体１１の外側に排出される。
【００１９】
本実施例では、微粒子を含む空気を容器本体１１の内側に導くことにより、大部分の該微粒子を容器本体１１内の水に捕捉させ、水に捕捉されなかった残りの微粒子をフィルタ１５で捕捉する構成となっている。これにより、空気中に含まれる微粒子を確実に捕捉できるため、清浄作用の高い空気清浄機を提供することができる。
（実施例２）
本実施例の空気清浄器について、図２、図３を参照して説明する。ここで、図２は空気清浄器の断面図であり、実施例１と同一の構成要素については同一符号を付している。図３は、格子状部材及び吸入パイプの斜視図である。
【００２０】
これらの図において、容器本体１１の吸入口１１aには、吸入パイプ３４が連結されており、この吸入パイプ３４は容器本体１１の底に溜まっている水の中に延出している。
【００２１】
吸入パイプ３４の先端部は上方に向かって折れ曲がっており、吸入パイプ３４の排出口３４aが上を向いた状態となっている。
【００２２】
吸入パイプ３４の排出口３４aの上方には、上下方向に延びる複数の開口部３５aを備えた格子状部材３５が配置されている。この格子状部材３５は、容器本体１１の底に溜まっている水の中に浸水しており、排出口３４aから排出された空気は格子状部材３５の各開口部３５aを通って複数に分割されるようになっている。
【００２３】
上述の構成において、吸入ファン１２を回転させると、吸入口１１aを通って容器本体１１の内側に空気が引き込まれ、この引き込まれた空気は吸入パイプ３４を通って排出口３４aから排出される。
【００２４】
この排出口３４aから排出された空気は、格子状部材３５の各開口部３５aを通ることにより細かく分断され、空気内に含まれる微粒子に水分が付着する。
【００２５】
この水分が付着した微粒子は、その大部分が容器本体１１内の水の中に留まるが、残りは排出ファン１４によって吸引され、排出口１１ｂの入口側に設けられたフィルタ１５に到達する。
【００２６】
そして、フィルタ１５を構成する吸水ポリマーと微粒子に付着した水とが化学吸着を起こして、微粒子を含むゼリー状の物体がフィルタ１５に生成される。
【００２７】
この微粒子が捕捉されることにより清浄化した空気は、排出ファン１２から容器本体１１の外側に排出される。
【００２８】
このように本実施例では、格子状部材３５の各開口部３５aによって、排出口３４aから排出された空気を細かく分断することができるため、微粒子に水分が付着しやすくなる。
【００２９】
また、実施例１で記載した効果も得られる。
【図面の簡単な説明】
【００３０】
【図１】実施例１の空気清浄器の斜視図
【図２】実施例２の空気清浄器の斜視図
【図３】格子状部材及び吸入パイプの斜視図
【符号の説明】
【００３１】
１１  容器本体
１１a  吸入口
１１ｂ  排出口
１２  吸入ファン
１３  ガイド壁
１４  排出ファン
１５  フィルタ
３１  加湿フィルタ
３４  吸入パイプ
３５  格子状部材
【図１】
0003122535.tif 000003
【図２】
0003122535.tif 000004
【図３】
0003122535.tif 000005